(57)【要約】      （修正有）【課題】人物や静物の絵画、ペットの写真、風物の写真、卒業証書、家族や友人の写真、絵ハガキ、商品の写真とその宣伝文を記述した展示物等を透明な表示シートに挿脱自在に挟み入れ、表示シートの両面から展示物を美麗に表示できる堅牢な額縁を提供する。【解決手段】芯紙の表面に硬質の表紙を貼着して主枠片と分割枠片を形成し、主枠片の折畳み部を表紙に達しないよう斜めに切入して対向する斜面を設けると共に両端に斜面を設け、主枠片内面に長手方向の凹溝とその両端に斜面を設け、凹溝の幅より稍広い隙間を保持して主枠片へ分割枠片を接着し、凹溝と隙間から写真等の展示物を入れた表示シートを挿脱自在に建て込む。【選択図】図１
0003150089.tif 000002
【実用新案登録請求の範囲】
【請求項１】
再生紙等の紙材を多層に重ね合わせて芯紙を形成し、芯紙の表面に硬質の郷紙或いは光沢紙からなる表紙を貼着して短冊形の主枠片と分割枠片を形成する。主枠片の中央部寄りに所定間隔を保持して形成される折畳み部位に、斜面を対面させ且つ表紙に達しないよう切入して折畳み部を形成する。主枠片の両端に斜面を設け、両斜面へ向けて開放される凹溝を主枠片の内面の長手方向へ凹設する。主枠片の両端に設けた斜面に接着するための斜面を両端に形成し、且つ凹溝の幅より稍広い幅を保持して主枠片へ接着する２片の分割枠片を形成する。折畳んだ主枠片の両端に分割枠片を接着して形成される囲まれた枠内における主枠片の連通する凹溝へ、分割枠片の対向端面間に形成される隙間から写真等の展示物を挟入する透明な表示シートを挿脱自在に建て込んで成る写真等の展示用額縁。
【考案の詳細な説明】
【技術分野】
【０００１】
本考案は写真等の展示用額縁に関する。
【背景技術】
【０００２】
商品等の小物類の収納容器と、この収納容器に被せる蓋体と、写真や絵画等の表示部を有して蓋体の上板に置かれる表示シートと、表示部に対応する位置に窓部を有して上板に置かれる抜きマットとからなり、表示シートを蓋体に対して着脱自在に構成している多目的箱がある。（特許文献１）
【特許文献１】特開２００５−３１３９９６号公報
【考案の開示】
【考案が解決しようとする課題】
【０００３】
上記特許文献１の考案は、商品の使用状態が簡単に分かる展示箱としての機能と、商品の購入後において収納容器に被せる蓋体の上板に置かれる写真等の表示シートを、窓を有する抜きマットで囲み額縁として使用できる二次的な機能を持つものであり、表示シートの周縁は不透明な上板の地色で囲まれ写真等の展示物の色彩とマッチングし難いため美感に欠け、更に蓋体枠は強度が乏しい紙製であり歪んだりして永年使用に耐えられない。
【課題を解決するための手段】
【０００４】
再生紙等の紙材を多層に重ね合わせて芯紙を形成し、芯紙の表面に硬質の郷紙或いは光沢紙からなる表紙を貼着して短冊形の主枠片と分割枠片を形成する。主枠片の中央部寄りに所定間隔を保持して形成される折畳み部位に、斜め４５度をなす斜面を対面させ且つ表紙に達しないよう切入して折畳み部を形成する。主枠片の両端に斜面を設け、両斜面へ向けて開放される凹溝を主枠片内面の長手方向へ凹設する。主枠片の両端に設けた斜面に接着するため斜め４５度をなす斜面を両端に形成し、且つ凹溝の幅より稍広い幅を保持して主枠片へ接着する２片の分割枠片を形成する。折畳んだ主枠片の両端に分割枠片を接着して形成される囲まれた枠内において、主枠片の連通する凹溝へ、分割枠片の対向端面間に形成される隙間から写真等の展示物を挟入する透明な表示シートを挿脱自在に建て込み、縁部に写真等の展示物の色彩とマッチングする色彩を施すと共に芯紙の表面を硬質の郷紙或いは光沢紙で被う表紙とした堅牢な写真等の展示用の額縁を提供することを目的とする。
【考案の効果】
【０００５】
人物や静物の絵画、ペットの写真、風物の写真、卒業証書、家族や友人の写真、絵ハガキ、商品の写真とその宣伝文を記述した展示物等を透明な表示シートに挿脱自在に挟み入れ、表示シートの両面から展示物を美麗に現示できる堅牢な額縁が得られる。
【考案を実施するための最良の形態】
【０００６】
図１は本考案の実施状態を示す斜視図、図２は本考案に係る主枠片と分割枠片を分離した状態を示す平面図、図３は同、底面図、図４は主枠片を示す側面図、図５は主枠片を上向きコ字形に折り畳み、その上端面に分割枠片の端部を接着した状態を示す正面図、図６は主枠片の分解正面図、図７は主枠片の上部に設けた斜面と、分割枠片の端部に設けた斜面を示す分離正面図である。
【０００７】
再生紙等の紙材を多層に重ね合わせて芯紙１を形成し、芯紙１の表面に硬質の郷紙或いは光沢紙からなる表紙２を貼着して短冊形の主枠片３と分割枠片４を形成する。主枠片３の中央部寄りに所定間隔を保持して形成される折畳み部位に、斜め４５度をなす斜面３ａを対面させ且つ表紙２に達しないよう切入して折畳み部５を形成する。主枠片３の両端に斜面３ｂを設け、両斜面３ｂへ向けて開放される凹溝６を主枠片３の内面の長手方向へ凹設する。主枠片３の両端に設けた斜面３ｂに接着するための斜め４５度をなす斜面４ａを両端に形成し、且つ凹溝６の幅より稍広い幅を保持して主枠片へ接着する２片の分割枠片４を形成する。折畳んだ主枠片３の両端に分割枠片４を接着し形成される囲まれた枠内において、主枠片３の連通する凹溝６へ、分割枠片４の対向端面間に形成される隙間から写真等の展示物を挟入するアクリル材等の透明な表示シート７を挿脱自在に建て込み、縁部に写真等の展示物の色彩とマッチングする色彩を施した額縁を形成するのである。
【図面の簡単な説明】
【０００８】
【図１】本考案の実施状態を示す斜視図。
【図２】本考案に係る主枠片と分割枠片を分離した状態を示す平面図。
【図３】同、底面図。
【図４】主枠片を示す側面図。
【図５】主枠片を上向きコ字形に折り畳み、その上端面に分割枠片の端部を接着した状態を示す正面図。
【図６】主枠片の分解正面図。
【図７】主枠片の上部に設けた斜面と、分割枠片の端部に設けた斜面を示す分離正面図。
【符号の説明】
【０００９】
１  芯紙  ２  表紙  ３  主枠片  ４  分割枠片  ５  折畳み部  
３ａ  ３ｂ  ４ａ  斜面  ６  凹溝  ７  表示シート
【図１】
0003150089.tif 000003
【図２】
0003150089.tif 000004
【図３】
0003150089.tif 000005
【図４】
0003150089.tif 000006
【図５】
0003150089.tif 000007
【図６】
0003150089.tif 000008
【図７】
0003150089.tif 000009
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
展示用額縁において、
（１）再生紙等の紙材を多層に重ね合わせた芯紙の表面に硬質の卿紙或いは光沢紙からなる表紙を貼着して短冊形の主枠片と分割枠片を形成し、
（２）主枠片の中央寄りに所定間隔を保持して設けた折畳み部位に、表紙に達しないよう斜めに切入し形成した斜面が対面する折畳み部を設け、
（３）主枠片の両端に斜面を設けると共に、両斜面へ向けて開放される凹溝を主枠片の内面の長手方向へ設け、
（４）主枠片に設けた両斜面に接着する斜面を形成すると共に、主枠片に設けた凹溝を保持して主枠片に接着する２片の分割枠片を形成し、
（５）折り畳んだ主枠片の両端の斜面に、２片の分割枠片の両端の斜面を接着すると分割枠片の対向端面間に形成される隙間から前記凹溝へ挿脱自在に建て込む、写真等の展示物を挟入した透明な表示シート、
以上の構成から成る写真等の展示用額縁。